(57)【要約】      （修正有）【課題】光ピックアップベースを樹脂製とした場合にも、装置に衝撃が加わった際のピックアップベースの損傷を防止する。【解決手段】ピックアップベース２０の半径方向に略直交する方向の一方側及び他方側に設けられた被ガイド部２６，２８を、光ピックアップ５が半径方向に移動可能とされるように支持する一対のガイド軸３１，３２と、一対のガイド軸３１，３２が取り付けられるユニットベース３と、ユニットベース３に設けられ、光ピックアップ５が半径方向の最も外側の位置に移動された際に、一方側の被ガイド部２６に当接するストッパ部７１と、ユニットベース３の他方側の被ガイド部２８の外側に対向する位置に設けられる立ち上がり部４３と、他方側の被ガイド部２８と、立ち上がり部４３との何れか一方に設けられる変位規制部７３とを備える。【選択図】図１
2009064491.tif 000002
【特許請求の範囲】
【請求項１】
少なくとも光ディスクに対して情報信号の記録及び／又は再生を行うための光ビームを照射する光学部品と、樹脂材料により形成され上記光学部品が配置されるピックアップベースとを有し、上記光ディスクの半径方向に移動可能とされる光ピックアップと、
上記ピックアップベースの上記半径方向に略直交する方向の一方側及び他方側に設けられた被ガイド部を、上記光ピックアップが上記半径方向に移動可能とされるように、支持する一対のガイド軸と、
上記一対のガイド軸が取り付けられるユニットベースと、
上記ユニットベースに設けられ、上記光ピックアップが上記半径方向の最も外側の位置に移動された際に、上記一方側の被ガイド部に当接するストッパ部と、
上記ユニットベースの上記他方側の被ガイド部の上記外側に対向する位置に設けられる立ち上がり部と、
上記他方側の被ガイド部と、上記立ち上がり部との何れか一方に設けられる変位規制部とを備え、
上記変位規制部は、上記光ピックアップが上記外側に移動され上記一方側の被ガイド部が上記ストッパ部に当接して上記ピックアップベースが撓んで上記他方側の被ガイド部が上記外側に変位された際に、上記他方側の被ガイド部と上記立ち上がり部との何れか他方に当接することにより上記ピックアップベースが撓んだときの上記他方側の被ガイド部の変位量を規制する光ディスク装置。
【請求項２】
上記変位規制部は、上記立ち上がり部の上記他方側の被ガイド部に対向する位置に、上記他方側の被ガイド部に向けて突出するように取り付けられている請求項１記載の光ディスク装置。
【請求項３】
上記変位規制部は、上記ピックアップベースを形成する樹脂材料よりも強度が低い樹脂材料により形成されている請求項２記載の光ディスク装置。
【請求項４】
上記変位規制部は、上記他方側の被ガイド部の上記立ち上がり部に対向する位置に、上記立ち上がり部に向けて突出するように設けられている請求項１記載の光ディスク装置。
【請求項５】
上記他方側の被ガイド部は、これを支持するガイド軸に上記光ディスクに直交する方向の一方向から係合されて、上記ガイド軸の軸方向に直交する面内における上記一方向の位置を位置決めされて支持される請求項１記載の光ディスク装置。
【請求項６】
少なくとも光ディスクに対して情報信号の記録及び／又は再生を行うための光ビームを照射する光学部品を有する光ピックアップを上記光ディスクの半径方向に移動させる送り装置において、
上記光学部品とともに上記光ピックアップを構成し、樹脂材料により形成され上記光学部品が配置される第１のベース部材と、
上記第１のベース部材の上記半径方向に略直交する方向の一方側及び他方側に設けられた被ガイド部を、上記第１のベース部材が上記半径方向に移動可能とされるように、支持する一対のガイド軸と、
上記一対のガイド軸が取り付けられる第２のベース部材と、
上記第２のベース部材に設けられ、上記第１のベース部材が上記半径方向の最も外側の位置に移動された際に、上記一方側の被ガイド部に当接するストッパ部と、
上記第２のベース部材の上記他方側の被ガイド部の上記外側に対向する位置に設けられる立ち上がり部と、
上記他方側の被ガイド部と、上記立ち上がり部との何れか一方に設けられる変位規制部とを備え、
上記変位規制部は、上記第１のベース部材が上記外側に移動され上記一方側の被ガイド部が上記ストッパ部に当接して上記第１のベース部材が撓んで上記他方側の被ガイド部が上記外側に変位された際に、上記他方側の被ガイド部と上記立ち上がり部との何れか他方に当接することにより上記第１のベース部材が撓んだときの上記他方側の被ガイド部の変位量を規制する送り装置。
【発明の詳細な説明】
【技術分野】
【０００１】
本発明は、光ディスクに情報信号の記録を行い、光ディスクに記録された情報信号の再生を行う光ディスク装置、及びこの光ディスク装置に用いられる送り装置に関する。
【背景技術】
【０００２】
従来、情報信号の記録媒体として、ＣＤ（Compact Disc）、ＤＶＤ(Digital Versatile Disc)等の光ディスクや、さらに高密度記録を可能とするため青紫色半導体レーザ等による波長４０５ｎｍ程度の光ビームを用いて信号の記録再生を行う光ディスク（以下、「高密度記録光ディスク」という。）が用いられ、この種の光ディスクに情報信号の記録を行い、あるいは光ディスクに記録された情報信号の再生を行うための光ディスク装置がある。
【０００３】
そして、この光ディスク装置には、光ディスクに対して光ビームを照射することにより光ディスクに対して情報信号の書き込み又は読み出しを行う光ピックアップと、この光ピックアップを光ディスクの半径方向に送り動作をさせるピックアップ送り機構とが設けられている。
【０００４】
光ピックアップは、半導体レーザから出射された光ビームを対物レンズで集光させて光ディスクの信号記録面に照射し、この光ディスクの信号記録面で反射された戻りの光ビームを光検出器で検出することによって、光ディスクに対して信号の書き込み又は読み出しを行う。
【０００５】
ピックアップ送り機構は、光ピックアップを光ディスクの半径方向に移動可能に支持する主軸及び副軸からなる一対のガイド軸と、光ピックアップに取り付けられたラック部材と、このラック部材と噛合されるリードスクリューと、このリードスクリューを回転駆動するステッピングモータとを有しており、このステッピングモータがリードスクリューを回転駆動しながら、リードスクリューと噛合されたラック部材を光ピックアップとともに光ディスクの半径方向に移動させる。
【０００６】
以上のように構成される光ディスク装置は、ディスク回転駆動機構が光ディスクを回転駆動し、ピックアップ送り機構が光ピックアップを光ディスクの半径方向に送り動作しながら、光ピックアップが光ディスクに対して信号の書き込み又は読み出し動作を行うことで、光ディスクの所望の記録トラックに対する情報信号の記録又は再生を行うことができる。
【０００７】
ところで上述した光ディスク装置には、光ピックアップが記録再生を最外周で行う位置より外側に移動された際に、それ以上外側に移動させないようなストッパ機構として、一般的に光ディスク装置を構成するユニットベースから立ち上げられ、ピックアップベースの主軸側の被ガイド部に突き当てる突き当て部としてのストッパ部が設けられている。
【０００８】
また、その一方で、近年、光ピックアップの構成の簡素化、製造工程の簡素化、低コスト化及び軽量化の観点等からピックアップベースを樹脂部材により形成することが望まれている。
【０００９】
上述のような光ディスク装置に例えば落下等により大きな衝撃が加わり、光ピックアップが内周から外周に移動した際に、まず主軸側の被ガイド部がユニットベースに設けられたストッパ部に突き当たり、副軸側の被ガイド部がフリーであるため主軸突き当たり部である主軸側の被ガイド部を支点にして回転モーメントが働きピックアップベースが撓んで変形しようとする。そして、この光ディスク装置は、この変形しようとする力によって主軸取付部である被ガイド部が捩られ、樹脂製のピックアップベースの主軸側の被ガイド部等に割れ、破損等の損傷が発生するおそれがあるという問題がある。
【００１０】
従来、このような落下等により外部から強い衝撃をうける際の光ピックアップとストッパ部との衝突による損傷を防止するため、特開２０００−２４３０４６号公報には、主軸側に設けられたストッパ部と光ピックアップのピックアップベースとの間に緩衝部材としてコイルバネ等を設ける光ディスク装置が記載されている（特許文献１参照）。
【００１１】
しかしながら、このようなコイルバネ等を有する光ディスク装置においても、上述のような主軸側の突き当たり部を支点にした回転モーメントによるピックアップベースの損傷については考慮されておらず、ピックアップベースを樹脂部材により形成した場合には、上述のような損傷、破損等が発生するおそれがあるという問題があった。
【００１２】
また、樹脂製のピックアップベース自体を割れ、破損等に対する耐久力を向上させるべく、割れ破損等の発生する部分を補強するために取付部の肉厚を増やしたり強度が高くなるようにすることも考えられるが、小型化の観点から困難であり、特に仕様波長の異なる複数種類の光ディスクに対して互換性を有するような光ディスク装置においては、ピックアップベース上に多くの光学部品を搭載する必要があり、これらの配置の制約等に加えて、ピックアップ自体の小型化を実現するためピックアップベース自体のこの割れ、破損等が発生する部分の補強が困難である場合には特に・上述の割れ、破損等の損傷が特に問題となる。
【００１３】
【特許文献１】特開２０００−２４３０４６号公報
【発明の開示】
【発明が解決しようとする課題】
【００１４】
本発明の目的は、光ピックアップの光学部品を配置するためのピックアップベースを樹脂製とした場合にも、装置に衝撃が加わった際のピックアップベースの損傷を防止する光ディスク装置及び送り装置を提供することにある。
【課題を解決するための手段】
【００１５】
この目的を達成するため、本発明に係る光ディスク装置は、少なくとも光ディスクに対して情報信号の記録及び／又は再生を行うための光ビームを照射する光学部品と、樹脂材料により形成され上記光学部品が配置されるピックアップベースとを有し、上記光ディスクの半径方向に移動可能とされる光ピックアップと、上記ピックアップベースの上記半径方向に略直交する方向の一方側及び他方側に設けられた被ガイド部を、上記光ピックアップが上記半径方向に移動可能とされるように、支持する一対のガイド軸と、上記一対のガイド軸が取り付けられるユニットベースと、上記ユニットベースに設けられ、上記光ピックアップが上記半径方向の最も外側の位置に移動された際に、上記一方側の被ガイド部に当接するストッパ部と、上記ユニットベースの上記他方側の被ガイド部の上記外側に対向する位置に設けられる立ち上がり部と、上記他方側の被ガイド部と、上記立ち上がり部との何れか一方に設けられる変位規制部とを備え、上記変位規制部は、上記光ピックアップが上記外側に移動され上記一方側の被ガイド部が上記ストッパ部に当接して上記ピックアップベースが撓んで上記他方側の被ガイド部が上記外側に変位された際に、上記他方側の被ガイド部と上記立ち上がり部との何れか他方に当接することにより上記ピックアップベースが撓んだときの上記他方側の被ガイド部の変位量を規制する。
【００１６】
また、本発明に係る送り装置は、少なくとも光ディスクに対して情報信号の記録及び／又は再生を行うための光ビームを照射する光学部品を有する光ピックアップを上記光ディスクの半径方向に移動させる送り装置において、上記光学部品とともに上記光ピックアップを構成し、樹脂材料により形成され上記光学部品が配置される第１のベース部材と、上記第１のベース部材の上記半径方向に略直交する方向の一方側及び他方側に設けられた被ガイド部を、上記第１のベース部材が上記半径方向に移動可能とされるように、支持する一対のガイド軸と、上記一対のガイド軸が取り付けられる第２のベース部材と、上記第２のベース部材に設けられ、上記第１のベース部材が上記半径方向の最も外側の位置に移動された際に、上記一方側の被ガイド部に当接するストッパ部と、上記第２のベース部材の上記他方側の被ガイド部の上記外側に対向する位置に設けられる立ち上がり部と、上記他方側の被ガイド部と、上記立ち上がり部との何れか一方に設けられる変位規制部とを備え、上記変位規制部は、上記第１のベース部材が上記外側に移動され上記一方側の被ガイド部が上記ストッパ部に当接して上記第１のベース部材が撓んで上記他方側の被ガイド部が上記外側に変位された際に、上記他方側の被ガイド部と上記立ち上がり部との何れか他方に当接することにより上記第１のベース部材が撓んだときの上記他方側の被ガイド部の変位量を規制する。
【発明の効果】
【００１７】
本発明は、衝撃等により光ピックアップが外周側に移動され、一方の被ガイド部がストッパ部に当接してピックアップベースが撓んで他方の被ガイド部が変位された際に、ピックアップベースが撓んだときの他方の被ガイド部の変位量を規制する変位規制部を備えることにより、衝撃が加わり、一方の被ガイド部とストッパ部とが衝突した際の他方の被ガイド部の変位を抑え、ピックアップベースの変形量を軽減するとともに、この他方の被ガイド部の変位によるモーメントにより一方の被ガイド部に加わる応力を軽減することができ、樹脂製のピックアップベースの割れ、破損等の損傷を防止することを実現する。
【発明を実施するための最良の形態】
【００１８】
以下、本発明を適用した光ディスク装置について、図面を参照して説明する。光ディスク装置１は、図１に示すように、光ディスク２に対して情報信号の記録及び／又は再生を行う記録再生装置である。
【００１９】
この光ディスク装置１で記録及び／又は再生を行う光ディスク２として、例えば、ＣＤ(Compact Disc）、ＤＶＤ（Digital Versatile Disc）、情報の追記が可能とされるＣＤ−Ｒ（Recordable）及びＤＶＤ−Ｒ（Recordable）、情報の書換えが可能とされるＣＤ−ＲＷ（ReWritable）、ＤＶＤ−ＲＷ（ReWritable）、ＤＶＤ＋ＲＷ（ReWritable）等の光ディスクや、さらに発光波長が短い４０５ｎｍ程度（青紫色）の半導体レーザを用いた高密度記録が可能な光ディスクや、光磁気ディスク等が用いられる。
【００２０】
例えば、以下で光ディスク装置１により情報の再生又は記録を行う光ディスク２として、保護層の厚さが０．１ｍｍで波長４００〜４１０ｎｍ程度の第１の波長の光ビームを記録再生光として使用する高密度記録が可能な第１の光ディスクと、保護層の厚さが０．６ｍｍで波長６５０〜６６０ｎｍ程度の第２の波長の光ビームを記録再生光として使用するＤＶＤ等の第２の光ディスクと、保護層の厚さが１．２ｍｍで波長７６０〜８００ｎｍ程度の第３の波長の光ビームを記録再生光として使用するＣＤ等の第３の光ディスクとからなる３種類の光ディスクを用いることができる。
【００２１】
光ディスク装置１は、図１に示すように、ユニットベース３を有し、このユニットベース３に、光ディスク２を装着して回転駆動する駆動手段としてのディスク回転駆動機構４と、このディスク回転駆動機構４に装着された光ディスク２に対して光ビームを照射して、光ディスク２で反射された戻りの光ビームを検出する光ピックアップ５と、光ピックアップ５を光ディスク２の半径方向に移動させるピックアップ送り機構６とが設けられている。
【００２２】
ディスク回転駆動機構４は、図２に示すように、光ディスク２の回転駆動源となるスピンドルモータ１１が駆動軸を突出させるようにして配設されており、この駆動軸には、情報信号の記録や再生をする光ディスク２が装着されるディスクテーブル１２が一体に取り付けられている。このディスクテーブル１２には、中央に光ディスク２のセンタリングを図るセンタリング部が設けられている。このようなスピンドルモータ１１及びディスクテーブル１２を有するディスク回転駆動機構４は、光ディスク２が装着されると、装着された光ディスク２を所定の回転速度で回転させる。
【００２３】
このディスクテーブル１２に装着された光ディスク２の信号記録面に光ビームを出射する光ピックアップ５は、少なくとも光ディスク２に対して情報信号の記録及び／又は再生を行うための光ビームを照射するとともに、光ディスク２で反射された戻りの光ビームを検出する光学系を構成する光学部品と、例えばＰＰＳ（ポリフェニレンサルファイド）等の樹脂材料により形成されるこれらの光学部品が配置されるピックアップベース２０とを備える。光ピックアップ５は、ピックアップベース２０を樹脂材料により形成することにより、製造の容易化、製造工程の簡素化及び低コスト化を可能とする。
【００２４】
ここで、ピックアップベース２０に搭載され上述のような光ピックアップ５の光学系を構成する光学部品として、所定の波長の光ビームを出射する半導体レーザ等の光源と、この光源から出射された光ビームを光ディスク２の信号記録面に集光する対物レンズと、光ディスク２の信号記録面で反射された戻りの光ビームを受光して検出する光検出器とが設けられており、さらに必要に応じて、トラッキングエラー信号等を検出するために光ビームを分割するグレーティングや、フォーカシングエラー信号等のための非点収差を発生させるためのシリンドリカルレンズ等の素子や、光ビームの発散角を変換して略平行光とするコリメータレンズや、光ビームを反射して光路を折り曲げる立ち上げミラー等の各種ミラーや、ビームスプリッタや、光ビームを受光部上に集光させる集光レンズ等が設けられている。
【００２５】
具体的には、ここで説明する光ピックアップ５は、図３に示すように、異なる複数種類の光ディスクに対して情報信号の記録及び／又は再生を行う互換性を実現するために、２つの光学系を有しており、各光学系に応じた光源２１，２２と、対物レンズ２３，２４と、上述したその他の光学部品を有するものとして説明する。例えば、光源２１から第１の波長の光ビームを出射させ、この光ビームを対物レンズ２３により第１の光ディスクに集光させ、光源２２から第２及び第３の波長の光ビームを出射させ、これらの光ビームを対物レンズ２４により第２又は第３の光ディスクに集光させることにより、上述した３種類の光ディスクに対する所謂３波長互換を実現する。そして、上述の光学部品が搭載されたピックアップベース２０には、その光ディスク２に対向する側である上面側を対物レンズ２３，２４が設けられた部分を除いて覆う上面側カバー部材２５と、光ディスク２に対向する側と反対側である下面側を覆う下面側カバー部材とが設けられている。ピックアップベース２０に設けられたこれらのカバー部材２５は、ピックアップベース２０に搭載された光学部品を露出させないことにより、接触による損傷や位置ズレ、埃の影響等から保護することができる。尚、図３中矢印ＲＩは、ラジアル方向のうち内周側に向けた方向を示し、矢印ＲＯは、ラジアル方向のうち外周側に向けた方向を示すものとする。
【００２６】
これらの各種光学部品を有する光ピックアップ５は、装着された光ディスクの種類に応じて、光源２１，２２から出射された所定波長の光ビームを対物レンズ２３，２４で集光して光ディスク２の信号記録面に集光し、光ディスク２の信号記録面で反射された戻りの光ビームを光検出器で検出することで、情報信号や各種検出信号を得て光ディスク２に対して書き込みや読み出しを行うことができる。
【００２７】
また、対物レンズ２３，２４は、例えば、対物レンズの光軸方向であるフォーカス方向Ｆと、この光軸方向に直交するトラッキング方向Ｔとに変位可能なように２軸アクチュエータ等に保持されている。この２軸アクチュエータは、対物レンズ２３，２４を、フォーカシングサーボ信号に基づいて、光ビームの光軸方向に駆動変位させ、トラッキングサーボ信号に基づいて、光ディスク２の記録トラックに対して直交する方向に駆動変位させる。
【００２８】
以上のような光ピックアップ５は、ディスクテーブル１２に装着された光ディスク２の径方向に移動するためのピックアップ送り機構６のガイド機構により移動可能に取り付けられている。
【００２９】
このピックアップ送り機構６は、光ピックアップ５を半径方向に移動可能に保持するガイド機構として、ディスクテーブル１２に装着された光ディスク２の径方向に沿って互いに平行に設けられる一対のガイド軸としての主ガイド軸３１及び副ガイド軸３２を有する。主ガイド軸３１及び副ガイド軸３２は、ピックアップベース２０の径方向（トラッキング方向Ｔ）に直交する方向であるタンジェンシャル方向Ｔｚの一方側及び他方側に設けられた被ガイド部を支持することにより、光ピックアップ５の両端を光ディスク２の半径方向に直線移動可能に支持する。
【００３０】
すなわち、光ピックアップ５を構成するピックアップベース２０には、図２及び図３に示すように、この主ガイド軸３１に支持される一方側の被ガイド部として、一対の取付片２６，２７が設けられ、この取付片２６，２７には、軸線を一致させた主ガイド軸３１を挿入するための挿入孔２６ａ，２７ａが形成されている。また、ピックアップベース２０には、副ガイド軸３２に支持される他方側の被ガイド部として、タンジェンシャル方向Ｔｚの外側に向けて開口端が設けられた所謂断面コの字状の取付片２８が設けられ、この取付片２８には、副ガイド軸３２の上端と係合する第１の係合部２８ａと、ピックアップベース２０が副ガイド軸３２に対して上側に変位した場合に副ガイド軸３２の下端と係合する第２の係合部２８ｂとが設けられている。尚、図２は、ガイド機構としての主ガイド軸３１及び副ガイド軸３２の構成並びにこれらを取り付けるための構成と、このガイド機構により保持されるピックアップベース２０に設けられた被ガイド部の構成とを説明するための図であり、ピックアップベース２０に搭載される光学部品やカバー部材及びこれらを取り付けるための詳細の構成、並びに後述する駆動機構の構成については省略した図である。
【００３１】
タンジェンシャル方向Ｔｚの一方側の被ガイド部である取付片２６，２７は、これを支持する主ガイド軸３１に摺動可能とされ、主ガイド軸３１の軸方向に直交する平面内の位置、すなわち、フォーカス方向Ｆ及びタンジェンシャル方向Ｔｚを含む平面内の位置を位置決めされた状態で支持される。
【００３２】
また、タンジェンシャル方向Ｔｚの他方側の被ガイド部である取付片２８は、これを支持する副ガイド軸３２に光ディスク２に直交する方向であるフォーカス方向Ｆの一方向から係合されて、すなわち、副ガイド軸３２の上端に対して第１の係合部２８ａを摺接されて、移動可能とされ、副ガイド軸３２の軸方向に直交する平面内におけるフォーカス方向Ｆの位置を位置決めされた状態で支持される。
【００３３】
ガイド機構である主ガイド軸３１及び副ガイド軸３２は、それぞれの半径方向の両側の端部近傍の位置にユニットベース３から一体に立ち上がり形成された第１乃至第４の立ち上がり片４１，４２，４３，４４の挿入孔４２ａ，４４ａと、切り欠き部により形成された挿入部４１ａ，４３ａとに挿入され、ある程度の位置を決めて取り付けられた後に、ユニットベース３にネジ５５，５６，５７，５８等により取り付けられる第１乃至第４の押圧片５１，５２，５３，５４によりユニットベース３の主面３ａの一方側から、すなわち上側から下側に向けて押圧されることにより固定される。
【００３４】
この状態で、主ガイド軸３１及び副ガイド軸３２の端部には、ユニットベース３から一体に立ち上がり形成された第５乃至第８の立ち上がり片４５，４６，４７，４８が当接され、これにより主ガイド軸３１及び副ガイド軸３２は、軸方向の移動が規制されることとなる。主ガイド軸３１及び副ガイド軸３２は、この第５乃至第８の立ち上がり片４５〜４８及び上述の第１乃至第４の押圧片５１〜５４により、ユニットベース３に取り付けられて固定されることとなる。
【００３５】
また、ユニットベース３には、主ガイド軸３１及び副ガイド軸３２の半径方向の両側の端部近傍の取り付け高さを調整することにより、光ピックアップ５のピックアップベース２０の姿勢を調整し、このピックアップベース２０に取り付けられた対物レンズ２３，２４により集光される光ビームの光ディスク２の信号記録面に対する角度を調整するためのスキュー調整機構として第１乃至第４の高さ調整部が設けられている。ここで、この第１乃至第４の高さ調整部について、図２及び図４（ａ）〜図４（ｄ）を用いて説明する。
【００３６】
第１の高さ調整部は、主ガイド軸３１の半径方向外側の部分の取り付け高さを調整するものであり、図２及び図４（ａ）に示すように、主ガイド軸３１を第１の立ち上がり片４１と第５の立ち上がり片４５との間の位置でユニットベース３の主面側から突き当てて支持する調整ネジ６１である。この調整ネジ６１は、ユニットベース３の主面３ａに設けられたネジ孔６５に所定の突出量だけ突出されて取り付けられている。
【００３７】
この第１の高さ調整部としての調整ネジ６１は、第１の押圧片５１により主面３ａ側（下側）に向けて押圧された主ガイド軸３１の半径方向外側の部分を主面３ａ側（下側）から突き当てて支持することにより、主ガイド軸３１の当該部分を主面３ａから所定の高さの位置に固定することができる。
【００３８】
ここで、第１の押圧片５１は、主ガイド軸３１に対して上側及びタンジェンシャル方向Ｔｚの外側である斜め上方から押圧しており、上述のように主ガイド軸３１を調整ネジ６１の端部側に向けて押圧するとともに、第１の立ち上がり片４１の挿入部４１ａの切り欠きが設けられていない側の立ち上がり部４１ｃに向けて押圧することにより、高さ方向の位置を決めるとともに、ディスクテーブル１２に装着された光ディスク２の信号記録面と平行な横方向（タンジェンシャル方向Ｔｚ）のがたつきを防止する。
【００３９】
尚、上述した第１の立ち上がり片４１は、第１の押圧片５１の押圧方向である斜め上方側に切り欠き部４１ｂが設けられることにより、切り欠き部４１ｂから挿入可能であるとともに高さ方向に長手方向が向けられた長孔形状に形成された挿入部４１ａに主ガイド軸３１を挿入させるようにすることで主ガイド軸３１の高さ調整を可能とし、挿入部４１ａのタンジェンシャル方向Ｔｚの両側に立ち上がり形成された立ち上がり部４１ｃ，４１ｄのうち第１の押圧片５１に押圧された主ガイド軸３１を切り欠き部４１ｂが設けられていない側の立ち上がり部４１ｃをタンジェンシャル方向Ｔｚの位置決めを行う位置決め基準面として機能させることで、主ガイド軸３１のタンジェンシャル方向Ｔｚの位置決めを行うことができる。
【００４０】
第２の高さ調整部は、主ガイド軸３１の半径方向内側の部分の取り付け高さを調整するものであり、図２及び図４（ｂ）に示すように、主ガイド軸３１を第２の立ち上がり片４２と第６の立ち上がり片４６との間の位置でユニットベース３の主面側から突き当てて支持する調整ネジ６２である。この調整ネジ６２は、ユニットベース３の主面３ａに設けられたネジ孔６６に所定の突出量だけ突出されて取り付けられている。
【００４１】
この第２の高さ調整部としての調整ネジ６２は、第２の押圧片５２により主面３ａ側（下側）に向けて押圧された主ガイド軸３１の半径方向内側の部分を主面３ａ側（下側）から突き当てて支持することにより、主ガイド軸３１の当該部分を主面３ａから所定の高さの位置に固定することができる。
【００４２】
ここで、第２の押圧片５２は、主ガイド軸３１に対して上側及びタンジェンシャル方向Ｔｚの外側である斜め上方から押圧しており、上述のように主ガイド軸３１を調整ネジ６２の端部側に向けて押圧するとともに、第２の立ち上がり片４２の挿入孔４２ａの一方側の立ち上がり部４２ｃに向けて押圧することにより、高さ方向の位置を決めるとともに、ディスクテーブル１２に装着された光ディスク２の信号記録面と平行な横方向（タンジェンシャル方向Ｔｚ）のがたつきを防止する。
【００４３】
尚、上述した第２の立ち上がり片４２は、高さ方向に長手方向が向けられた長孔形状に挿入孔４２ａが形成され、この挿入孔４２ａに主ガイド軸３１が挿入させるようにすることで主ガイド軸３１の高さ調整を可能とし、挿入孔４２ａのタンジェンシャル方向Ｔｚの両側に立ち上がり形成された立ち上がり部４２ｃ，４２ｄのうち第２の押圧片５２に押圧された主ガイド軸３１を一方の立ち上がり部４２ｃをタンジェンシャル方向Ｔｚの位置決めを行う位置決め基準面として機能させることで、主ガイド軸３１のタンジェンシャル方向Ｔｚの位置決めを行うことができる。
【００４４】
第３の高さ調整部は、副ガイド軸３２の半径方向外側の部分の取り付け高さを調整するものであり、図２及び図４（ｃ）に示すように、副ガイド軸３２を第３の立ち上がり片４３と第７の立ち上がり片４７との間の位置でユニットベース３の主面側から突き当てて支持する調整ネジ６３である。この調整ネジ６３は、ユニットベース３の主面３ａに設けられたネジ孔６７に所定の突出量だけ突出されて取り付けられている。
【００４５】
この第３の高さ調整部としての調整ネジ６３は、第３の押圧片５３により主面３ａ側（下側）に向けて押圧された副ガイド軸３２の半径方向外側の部分を主面３ａ側（下側）から突き当てて支持することにより、主ガイド軸３１の当該部分を主面３ａから所定の高さの位置に固定することができる。
【００４６】
ここで、第３の押圧片５３は、副ガイド軸３２に対して上側及びタンジェンシャル方向Ｔｚの外側である斜め上方から押圧しており、上述のように副ガイド軸３２を調整ネジ６３の端部側に向けて押圧するとともに、第３の立ち上がり片４３の挿入部４３ａの切り欠きが設けられていない側の立ち上がり部４３ｃに向けて押圧することにより、高さ方向の位置を決めるとともに、ディスクテーブル１２に装着された光ディスク２の信号記録面と平行な横方向（タンジェンシャル方向Ｔｚ）のがたつきを防止する。
【００４７】
尚、上述した第３の立ち上がり片４３は、第３の押圧片５３の押圧方向である斜め上方側に切り欠き部４３ｂが設けられることにより、切り欠き部４３ｂから挿入可能であるとともに高さ方向に長手方向が向けられた長孔形状に形成された挿入部４３ａに副ガイド軸３２を挿入させるようにすることで副ガイド軸３２の高さ調整を可能とし、挿入部４３ａのタンジェンシャル方向Ｔｚの両側に立ち上がり形成された立ち上がり部４３ｃ、４３ｄのうち第３の押圧片５３に押圧された副ガイド軸３２を切り欠き部４３ｂが設けられていない側の立ち上がり部４３ｃをタンジェンシャル方向Ｔｚの位置決めを行う位置決め基準面として機能させることで、副ガイド軸３２のタンジェンシャル方向Ｔｚの位置決めを行うことができる。
【００４８】
第４の高さ調整部は、副ガイド軸３２の半径方向内側の部分の取り付け高さを調整するものであり、図２及び図４（ｄ）に示すように、副ガイド軸３２を第４の立ち上がり片４４と第８の立ち上がり片４８との間の位置でユニットベース３の主面３ａに設けられたネジ孔６８に所定の突出量だけ突出されて取り付けられている。
【００４９】
この第４の高さ調整部としての調整ネジ６４は、第４の押圧片５４により主面３ａ側（下側）に向けて押圧された副ガイド軸３２の半径方向内側の部分を主面３ａ側（下側）から突き当てて支持することにより、副ガイド軸３２の当該部分を主面３ａから所定の高さの位置に固定することができる。
【００５０】
ここで、第４の押圧片５４は、副ガイド軸３２に対して上側及びタンジェンシャル方向Ｔｚの外側である斜め上方から押圧しており、上述のように副ガイド軸３２を調整ネジ６４の端部側に向けて押圧するとともに、第４の立ち上がり片４４の挿入孔４４ａの一方側の立ち上がり部４４ｃに向けて押圧することにより、高さ方向の位置を決めるとともに、ディスクテーブル１２に装着された光ディスク２の信号記録面と平行な横方向（タンジェンシャル方向Ｔｚ）のがたつきを防止する。
【００５１】
尚、上述した第４の立ち上がり片４４は、高さ方向に長手方向が向けられた長孔形状に挿入孔４４ａが形成され、この挿入孔４４ａに副ガイド軸３２が挿入させるようにすることで副ガイド軸３２の高さ調整を可能とし、挿入孔４４ａのタンジェンシャル方向Ｔｚの両側に立ち上がり形成された立ち上がり部４４ｃ，４４ｄのうち第４の押圧片５４に押圧された副ガイド軸３２を一方の立ち上がり部４４ｃをタンジェンシャル方向Ｔｚの位置決めを行う位置決め基準面として機能させることで、副ガイド軸３２のタンジェンシャル方向Ｔｚの位置決めを行うことができる。
【００５２】
第１乃至第４の高さ調整部である調整ネジ６１〜６４は、この調整ネジ６１〜６４のユニットベース３に対して進退させて主面３ａに対する突出量を調整することにより、主ガイド軸３１及び副ガイド軸３２の半径方向の外側及び内側の端部近傍の各位置の取り付け高さを調整することにより、光ピックアップ５の取付姿勢を調整し、光ピックアップ５の対物レンズ２３，２４により集光される光ビームの光ディスク２の信号記録面に対する角度を調整することができる。
【００５３】
ピックアップ送り機構６は、上述したガイド機構としての主ガイド軸３１及び副ガイド軸３２に移動可能に支持された光ピックアップ５を半径方向に駆動する駆動機構として、図１に示すように、駆動モータ３３と、駆動モータ３３によって回転されるリードスクリュー３４と、リードスクリュー３４に噛合されリードスクリュー３４が回転されることによりリードスクリュー３４の軸方向に駆動されるラック部３６を有しピックアップベース２０に連結される連結部材３５とを有する。
【００５４】
この連結部材３５は、ピックアップベース２０にネジ等で固定されラック部３６を介して駆動源である駆動モータ３３及びリードスクリュー３４と被駆動部であるピックアップベース２０とを連結する連結本体部３７と、連結部材３５のリードスクリュー３４側の位置にリードスクリュー３４に近接又は離間可能なように変位自在であって連結本体部３７と一体に設けられリードスクリュー３４に噛合されるラック部３６と、このラック部３６をリードスクリュー３４側に付勢する付勢力を付与するコイルバネ等の付勢部材３８とを有する。
【００５５】
駆動モータ３３は、ステッピングモータであり、駆動パルスに応じてリードスクリュー３４を回転駆動する。リードスクリュー３４は、上述した主ガイド軸３１と略平行となるように光ディスク２の半径方向にその軸方向を向けて配置され、その外周面にはラック部３６に噛合される螺旋状のネジ溝が形成されており、駆動モータ３３により回転駆動される。連結部材３５は、リードスクリュー３４が回転動作されると、リードスクリュー３４側に付勢されリードスクリュー３４に噛合されたラック部３６を介して、リードスクリュー３４の回転力を光ディスク２の半径方向への直線方向の駆動力に変換して連結されたピックアップベース２０にこの半径方向への駆動力を伝達する。
【００５６】
以上のような駆動モータ３３、リードスクリュー３４及び連結部材３５からなる駆動機構は、リードスクリュー３４を回転させることにより、連結部材３５をリードスクリュー３４の軸方向に移動させ、すなわち連結部材３５及びこれに連結されたピックアップベース２０を半径方向の内側又は外側に向けて移動させる。
【００５７】
以上のようなピックアップ送り機構６は、ガイド機構としての主ガイド軸３１及び副ガイド軸３２により光ピックアップ５を光ディスク２の半径方向に移動可能に支持するとともに、駆動機構としての駆動モータ３３、リードスクリュー３４及び連結部材３５により光ピックアップ５を光ディスク２の半径方向に移動させて、光ディスク２の半径方向の所望の位置に光ピックアップ５の対物レンズ２３，２４を対向させて、所望の記録トラックに対物レンズ２３，２４により集光される光ビームを照射させることができる。
【００５８】
尚、上述のピックアップ送り機構６においては、駆動機構を構成し、駆動モータ３３の駆動力をピックアップベース２０に伝達するリードスクリュー３４を、ガイド機構としての主ガイド軸３１とはそれぞれ別個に設けるように構成したが、この両者の機能を一体に有するような主ガイド軸を設けるように構成してもよい。すなわち、光ディスク装置を構成するピックアップ送り機構は、ガイド機構としての一対のガイド軸と、一対のガイド軸のうち主ガイド軸を回転駆動する駆動モータとを備え、ピックアップベースに設けられ主ガイド軸に支持される一方側の被ガイド部が、これを支持する主ガイド軸に係合されて、一方のガイド軸である主ガイド軸の軸方向の位置と、この主ガイド軸の軸に直交する平面内の位置とを位置決めされて支持され、一方のガイド軸である主ガイド軸が、回転駆動されることにより一方側の被ガイド部を介してピックアップベース及び光ピックアップを半径方向に駆動する駆動力を伝達するように構成してもよい。例えば、駆動モータにより回転駆動される主ガイド軸の表面に螺旋状のネジ溝を設け、この主ガイド軸に支持される被ガイド部の主ガイド軸が挿通される内周面に螺旋状のネジ溝に対応するネジ部を有することによりピックアップ送り機構を構成するようにしてもよい。
【００５９】
ところで、光ディスク装置１には、ピックアップ送り機構６により所望の位置に送り動作される光ピックアップ５が、記録再生時の移動範囲を含めた移動可能な範囲を規制する移動範囲制限機構が設けられている。
【００６０】
ここでは、図１、図２及び図５に示すように、上述した主ガイド軸３１を支持する第１の立ち上がり片４１の半径方向の内周側の面が、光ピックアップ５が記録再生時の移動範囲を超えて半径方向の最も外側の位置に移動された際に、光ピックアップ５に当接して光ピックアップ５のそれ以上外側への移動を制限する第１のストッパ部７１として機能し、主ガイド軸３１を支持する第２の立ち上がり片４２の半径方向の外周側の面が、光ピックアップ５が記録再生時の移動範囲を超えて半径方向の最も内側の位置に移動された際に、光ピックアップ５に当接して光ピックアップ５のそれ以上内側への移動を制限する第２のストッパ部７２として機能し、これらの第１及び第２のストッパ部７１，７２が移動範囲制限機構を構成する。尚、ここでは、第１及び第２の立ち上がり片４１，４２の所定の面が移動範囲制限機構として機能するように構成したが、これに限られるものではなく、別に第１及び第２のストッパ部として機能する新たな部材を設けるように構成してもよい。
【００６１】
第１のストッパ部７１として機能する第１の立ち上がり片４１は、光ピックアップ５が記録再生時の移動範囲を超えて半径方向の最も外側の位置に移動された際に、その半径方向内周側の面を光ピックアップ５を構成するピックアップベース２０の一方の被ガイド部として半径方向の外側に設けられた取付片２６に当接して、このピックアップベース２０がその位置より半径方向外側に向けて移動しないように光ピックアップ５の移動範囲を制限する。
【００６２】
第２のストッパ部７２として機能する第２の立ち上がり片４２は、光ピックアップ５が記録再生時の移動範囲を超えて半径方向の最も内側の位置に移動された際に、その半径方向外周側の面を光ピックアップ５を構成するピックアップベース２０の一方の被ガイド部として半径方向の内側に設けられた取付片２７に当接して、このピックアップベース２０がその位置より半径方向内側に向けて移動しないように光ピックアップ５の移動範囲を制限する。
【００６３】
尚、外周側及び内周側の移動範囲を規制する第１及び第２のストッパ部７１，７２を主ガイド軸３１側に設けたのは、このガイド軸に取り付けられる被ガイド部としての取付片２６，２７を２箇所に有しているため、構造上ストッパ部を形成しやすいとともに、ストッパ部に当接させたときのピックアップベース２０の強度が副ガイド軸３２側よりも主ガイド軸３１側の方が高いため当接による損傷には強いという理由と、駆動機構であるリードスクリュー３４及び駆動モータ３３が取り付けられ駆動される側にストッパ部を設けた方が移動範囲を内周側ストッパにより位置検出を行うことを考慮すると精度が高いという理由からである。また、ここで第１及び第２のストッパ部７１，７２のそれぞれをピックアップベース２０の一方の被ガイド部である取付片２６，２７に当接させることにより移動範囲を規制するようにしたが、ピックアップベース２０の第１及び第２のストッパ部に当接可能な位置に、第１及び第２のストッパ部に当接されることにより移動範囲を規制する新たな部材を設けるように構成してもよい。
【００６４】
また、光ディスク装置１には、図２及び図５（ｃ）に示すように、外部からの衝撃等により、光ピックアップ５が半径方向外側に移動され一方側の被ガイド部としての取付片２６が第１のストッパ部７１に当接し、ピックアップベース２０が撓んで他方側の被ガイド部としての取付片２８が半径方向の外側に向けて変位された際に、この取付片２８の変位量を規制する変位規制部材７３が第３の立ち上がり片４３に取り付けられている。
【００６５】
すなわち、上述した副ガイド軸３２を支持する第３の立ち上がり片４３は、図２及び図６に示すように、他方側の被ガイド部である取付片２８の半径方向の外側に対向する位置に立ち上がり形成されており、図７に示すように、この第３の立ち上がり片４３の他方側の被ガイド部としての取付片２８に対向する位置に、この取付片２８に向けて突出するように変位規制部材７３が取り付けられている。
【００６６】
この変位規制部材７３は、図８、図９、図１０及び図１１に示すように、副ガイド軸３２を挿通するための楕円形状の軸挿通孔７４ａを有する環状の本体部７４と、この本体部７４の軸挿通孔７４ａに挿通された副ガイド軸３２に沿って半径方向内周側に向けて突出するように本体部７４に一体に形成され被ガイド部である取付片２８の当接面２８ｃに当接する当接部となる突出部７５と、本体部７４の突出部７５が設けられた側の面７４ｂと反対側の面７４ｃに第３の立ち上がり片４３の切り欠き部４３ｂに挿入される第１の連結部７８を介して一体に形成され、第３の立ち上がり片４３の本体部７４が接する側の面と反対側の面から係合する係合部７６と、本体部７４及び突出部７５から延設され軸挿通孔７４ａに挿通された副ガイド軸３２の下端面に所定の隙間を有して副ガイド軸３２の下端側の部分を包囲して突出部７５の向きを保持する延設部７７と、この延設部７７と係合部７６とを連結する第２の連結部７９とを有している。
【００６７】
環状の本体部７４は、図９（ａ）、図９（ｂ）及び図１０（ａ）に示すように、その一方の面７４ｃが取付基準面となって第３の立ち上がり片４３の内周側に向けた面に接して取り付けられており、この一方の面７４ｃを第３の立ち上がり片４３に接触させて取り付けた状態でスキュー調整機構の第３の高さ調整部による調整方向である高さ方向に長径を向けた楕円形状の軸挿通孔７４ａを有している。この本体部７４は、楕円形状の軸挿通孔７４ａを有することにより、この変位規制部材７３を取り付けた状態においても第３の高さ調整部である調整ネジ６３による副ガイド軸３２の高さ方向の調整を可能とする。
【００６８】
突出部７５は、図８（ｂ）、図９（ａ）、図１１及び図１２に示すように、この本体部７４の他方の面７４ｂから挿通された副ガイド軸３２と略平行に突出して形成されており、第３の立ち上がり片４３に取り付けられた状態で副ガイド軸３２の主ガイド軸３１側の位置に配置されるように形成されている。この突出部７５は、図９（ｃ）及び図９（ｄ）に示すように、他方側の被ガイド部である取付片２８に当接したときの強度を考慮して先端部７５ａが先細りになり本体部側の基端部７５ｂが太くなるように形成されている。また、突出部７５の先端部７５ａには被ガイド部である取付片２８の当接面２８ｃに当接する当接突起部７５ｃが設けられている。尚、この突出部７５の当接突起部７５ｃに当接される取付片２８の当接面２８ｃは、取付片２８の突出部７５に対向する位置に形成された凹部に形成されており、この凹部に形成された当接面２８ｃに当接突起部７５ｃが当接する構成により、後述の衝撃が大きい場合に突出部７５が変形した場合にも当接を維持して確実に所定の変位量とさせることができる。
【００６９】
係合部７６は、図６、図８（ａ）、図９（ａ）、図９（ｃ）、図１１及び図１２に示すように、本体部７４の一方の面７４ｃ側に向けて形成された第１の連結部７８を介して形成され、本体部７４とともに、第３の立ち上がり片４３を副ガイド軸３２の軸方向の両側から挟み込むように、第３の立ち上がり片４３に係合することで、この変位規制部材７３を第３の立ち上がり片４３へ取り付ける際の位置決めとしての機能を有するとともに、突出部７５が被ガイド部である取付片２８に当接した場合に、その衝撃により突出部７５の姿勢を保持することができ、特に、突出部７５が下側に向けて傾斜してしまうことを防止する。
【００７０】
延設部７７は、図９（ａ）、図９（ｄ）、図１０（ｂ）、図１０（ｃ）及び図１３に示すように、本体部７４と突出部７５とに延設して形成され、本体部７４に形成された軸挿通孔７４ａの内壁面の下側の略半分を軸方向に延設したような内壁部分７７ａを有し、この内壁部分７７ａが挿通された副ガイド軸３２の下端側の部分を所定の隙間を介して包囲する。このような内壁部分７７ａを有する延設部７７は、突出部７５が他方側の被ガイド部である取付片２８に当接した場合に、その衝撃により突出部７５の姿勢を保持することができ、特に、突出部７５が上側に向けて傾斜した場合に副ガイド軸３２にその内壁部分７７ａを当接させることによりこの突出部７５が上側に向けて傾斜することを防止する。
【００７１】
本体部７４及び係合部７６を連結する第１の連結部７８と、延設部７７及び係合部７６を連結する第２の連結部７９とは、図７、図８（ａ）、図９（ａ）、図１０（ａ）、図１１及び図１４に示すように、第３の立ち上がり片４３の一方の切り欠き端部４３ｅを挟み込むように狭持することにより、変位規制部材７３を第３の立ち上がり片４３へ取り付ける際の位置決めとしての機能を有するとともに、本体部７４及びこれから突出して形成される突出部７５の軸回り方向の回転を防止して、突出部７５を確実に他方側の被ガイド部である取付片２８の当接面２８ｃに当接可能な位置に保持することを可能とする。
【００７２】
また、この変位規制部材７３は、図８（ａ）、図９（ａ）、図１０（ａ）、図１１及び図１４に示すように、第１及び第２の連結部７８，７９を形成することにより、形成される取付溝部７３ａ及び取付孔部７３ｂを有し、この取付溝部７３ａに第３の立ち上がり片４３の他方の切り欠き端部４３ｆを挿入させ、取付孔部７３ｂに第３の立ち上がり片４３の一方の切り欠き端部４３ｅを挿入させることで、第３の立ち上がり片４３の所定の正確な位置への取り付けを可能とする。尚、変位規制部材７３は、この取付溝部７３ａ及び取付孔部７３ｂに第３の立ち上がり片４３の切り欠き端部４３ｅ，４３ｆを挿入するように取り付けた後に、例えば接着剤等により強度を有して固定される。
【００７３】
そして、この変位規制部材７３は、例えば、ＰＯＭ（ポリアセタール）等のピックアップベース２０を構成する樹脂部材よりも強度が低く、すなわち軟らかい樹脂部材により形成されている。変位規制部材７３は、例えばＰＰＳ等の樹脂材料よりなるピックアップベース２０よりも強度が低い樹脂材料により形成されることにより、後述の衝撃等により、この変位規制部材７３とピックアップベース２０の取付片２８とが衝突した際に、この変位規制部材７３自体が変形することによりこの衝突による衝撃を吸収し、ピックアップベース２０及びこの内部に配設される光学部品等に衝撃が加わることを防止する。
【００７４】
また、変位規制部材７３は、図５（ｂ）に示すように、一方側の被ガイド部である取付片２６が第１のストッパ部７１に当接する位置に光ピックアップ５が位置する際に、すなわち、ピックアップベース２０が撓んでいない状態では、当接部となる突出部７５の当接突起部７５ｃが他方側の被ガイド部である取付片２８の当接面２８ｃに当接しない、すなわち接触しない状態となるように、他方側の被ガイド部である取付片２８に対して所定の隙間Ｘ１を有するように形成されている。
【００７５】
以上のように構成された変位規制部材７３は、例えば図５（ａ）に示すような状態において、光ディスク装置１が落下した場合等の衝撃により、光ピックアップ５が半径方向外側に移動され一方側の被ガイド部である取付片２６が第１のストッパ部７１に当接して、図５（ｂ）に示すように、ピックアップベース２０が撓んで他方側の被ガイド部である取付片２８が外側に変位し、所定の隙間Ｘ１分だけ変位された際に、図５（ｃ）に示すように、その突出部７５の当接突起部７５ｃを他方側の被ガイド部である取付片２８の当接面２８ｃに当接させて、それ以上他方側の被ガイド部である取付片２８が変位することを防止して、すなわちピックアップベース２０がそれ以上撓むことを防止する。尚、図５（ｃ）及び後述の図５（ｄ）中の破線で示す２８Ｘは、図５（ｂ）の状態における取付片２８の位置を示すものである。
【００７６】
このように、変位規制部材７３は、他方側の被ガイド部である取付片２８の変位量を一定量の範囲に抑えるように規制し、すなわち、ピックアップベース２０の撓みを一定の範囲に抑えることを可能とする。換言すると、図５（ｄ）に示すように、この変位規制部材７３を設けなかったとしたならば、衝撃により、光ピックアップ５が半径方向外側に移動され、一方側の被ガイド部である取付片２６が第１のストッパ部７１に当接してピックアップベース２０が撓んで他方側の被ガイド部である取付片２８が外側にその衝撃の分だけ変位され、その衝撃の大きさや各部の形状によって例えば変位量がＸ２である所定の位置まで他方側の被ガイド部である取付片２８が変位したときに、その際のピックアップベース２０の撓みにより、ピックアップベース２０が、例えばその一方側の被ガイド部（取付片２６）付近で割れ、損傷等が発生することとなる。そして、上述した変位規制部材７３は、樹脂製のピックアップベース２０のこの割れ、損傷等を防止するために設けられているので、この割れ、損傷等が発生する位置に至るまでの変位量Ｘ２より少ない所定の変位量Ｘ１しか変位しないように設定して形成されることにより、取付片２８の最大変位量を規制するとともにピックアップベース２０の撓み量を規制し、このピックアップベース２０の撓みに伴う割れ、損傷等を防止できる。
【００７７】
次に、この変位規制部材７３が、衝撃等により一方側の被ガイド部である取付片２６が第１のストッパ部７１に当接したときに、他方側の被ガイド部である取付片２８の変位量ゼロ（Ｘ１＝０）、すなわち、他方側の被ガイド部の取付片２８が、同時にこの変位規制部材７３に当接して半径方向への移動を規制するような構成、換言すると一方側及び他方側の両方に、ストッパ部を設けるような構成としなかったことについて説明する。
【００７８】
他方側の被ガイド部の変位量ゼロとする構成においては、上述したのと同様に、ピックアップベース２０が上述の図５（ｄ）に示すような撓みが発生せず、上述と同様にピックアップベース２０の撓みに伴う割れ、損傷等を防止することはできるが、このような場合、衝撃の力が全てピックアップベース２０を介してピックアップベース２０に搭載された光学部品に伝達してしまうこととなり、光学部品の位置ズレ等が問題になる可能性がある。
【００７９】
すなわち、これに対して、上述の所定の隙間量Ｘ１を有するような構成の変位規制部材７３は、ピックアップベース２０が割れ、損傷を発生させない程度に、他方側の被ガイド部である取付片２８が変位され、ピックアップベース２０が撓むこととなるが、このピックアップベース２０の撓みにより、力を逃がし、衝撃力の一部を緩和させることができるものである。
【００８０】
以上のように、変位規制部材７３は、光ピックアップ５が半径方向の最も外側の位置に移動され一方側の被ガイド部である取付片２６が第１のストッパ部７１に当接したときに、ピックアップベース２０に撓みがない状態で、他方側の被ガイド部である取付片２８の当接面２８ｃに対して変位規制部材７３の突出部７５の当接突起部７５ｃが所定の隙間Ｘ１を有するように構成されていることから、衝撃等によりピックアップベース２０が外側に突き当てられた際に、一方の被ガイド部である取付片２６が第１のストッパ部７１で突き当てられて、他方の被ガイド部である取付片２８が一定の変位量となる程度の所定の変形量でピックアップベース２０を変形させることで、この衝撃を吸収してピックアップベース２０に取り付けられた光学部品を保護することができるとともに、他方の被ガイド部である取付片２８の変位量を所定の範囲に抑え、すなわち、ピックアップベース２０の変形量をピックアップベース２０の強度に応じた範囲内に抑えることにより、樹脂製のピックアップベース２０の割れ等の損傷を防止することを可能とする。
【００８１】
また、光ディスク装置１において、衝撃により、光ピックアップ５が半径方向内側に移動され一方側の被ガイド部である取付片２７が第２のストッパ部７２に当接した場合にも、ピックアップベース２０の内周側の端面２０ａが、ユニットベース３のディスク回転駆動機構４のディスクテーブル１２を取り付ける部分３ｂの形状に沿ったような形状とされているので、この端面２０ａがユニットベース３の当該部分３ｂに当接することによって、上述した外周側に向けた場合と同様に、ピックアップベース２０の割れ等の損傷を防止することができる。
【００８２】
以上のように構成された光ディスク装置１は、ディスクテーブル１２に光ディスク２が装着されるとスピンドルモータ１１によって光ディスク２を回転操作し、駆動モータ３３を駆動制御して、光ピックアップ５を光ディスク２の所望の記録トラックに対応する位置に移動させる。そして光ディスク装置１は、光ピックアップ５が所定の波長の光ビームを照射するとともに光ディスク２で反射された戻りの光ビームを検出することで、光ディスク２に対して情報の記録再生を行う。
【００８３】
ところで上述したような樹脂製のピックアップベース２０を有する光ディスク装置１等において、搬送時の落下等の要因により大きな衝撃が加わった際に、光ピックアップ５が内周から外周に移動した際のピックアップベース２０の割れ、破損等の損傷が問題となるが、上述した光ディスク装置１は、上述したような変位規制部材７３を備えることにより、この衝撃時等による他方の被ガイド部である取付片２８の変位を抑え、ピックアップベース２０の変形量を抑えるとともに、この取付片２８の変位による一方の被ガイド部である取付片２６に加わる応力を軽減することができ、上述のような損傷等の問題を解消できる。
【００８４】
このように、本発明を適用した光ディスク装置１は、樹脂材料により形成されるピックアップベース２０を有する光ピックアップ５と、一対のガイド軸として主ガイド軸３１及び副ガイド軸３２と、ユニットベース３と、ユニットベース３に設けられ、光ピックアップ５が半径方向の最も外側の位置に移動された際に、一方側の被ガイド部である取付片２６に当接する第１のストッパ部７１と、ユニットベース３の他方側の被ガイド部である取付片２８の外側に対向する位置に設けられた第３の立ち上がり片４３の取付片２８に対向する位置に、取付片２８に向けて突出するように取り付けられる変位規制部材７３とを備え、この変位規制部材７３の突出部７５が、光ピックアップ５が外側に移動され一方側の被ガイド部である取付片２６が第１のストッパ部７１に当接してピックアップベース２０が撓んで他方側の被ガイド部である取付片２８が半径方向外側に変位された際に、取付片２８に当接することによりピックアップベース２０が撓んだときの他方側の被ガイド部である取付片２８の変位量を規制する構成により、光ディスク装置１に衝撃等が加わり、一方の被ガイド部である取付片２６と第１のストッパ部７１とが衝突した際の他方の被ガイド部である取付片２８の変位を抑え、ピックアップベース２０の変形量を軽減するとともに、この他方の被ガイド部である取付片２８の変位による一方の被ガイド部である取付片２６を支点としたモーメントにより一方の被ガイド部である取付片２６に加わる応力を軽減することができ、樹脂製のピックアップベース２０の割れ、破損等の損傷を防止することを実現する。よって、本発明は、樹脂製のピックアップベース２０を用いることにより、これを有する光ピックアップ５の製造の容易化、製造工程の簡素化及び低コスト化を可能とするとともに、樹脂製のピックアップベースを用いる場合の問題点となり得るこのピックアップベース２０の割れ、破損等の損傷を簡易な構成で防止することを実現する。
【００８５】
さらに、この光ディスク装置１は、上述したように、挿入孔２６ａ，２７ａにガイド軸を挿入させ２箇所設けられた取付片２６，２７からなる主ガイド軸３１側の被ガイド部に対応するストッパ部を設けるとともに、副ガイド軸３２側の取付片２８が上述したように所謂断面コの字状とされ、副ガイド軸３２に対して高さ方向の一方向から支持されているような構成の場合には、ピックアップベース２０が撓みやすいので特に有効であり、すなわち、変位規制部材７３により樹脂製で撓みやすい構成とされたピックアップベース２０の割れ等の損傷を防止することを実現する。
【００８６】
また、本発明を適用した光ディスク装置１は、上述のように、変位規制部材７３が、一方側の被ガイド部である取付片２６が第１のストッパ部７１に当接する位置に光ピックアップ５が位置する際に、ピックアップベース２０が撓んでいない状態では、当接部となる突出部７５の当接突起部７５ｃが他方側の被ガイド部である取付片２８の当接面２８ｃに当接しないように、これらが所定の隙間Ｘ１を有するように形成され、この隙間Ｘ１が、他方側の被ガイド部である取付片２８の変位によりピックアップベース２０が変形して割れ、損傷等が発生する取付片２８の変位量Ｘ２より小さくなるようにされていることにより、衝撃等により、一方の被ガイド部である取付片２６と第１のストッパ部７１とが衝突した際の他方の被ガイド部である取付片２８をピックアップベース２０が損傷しない程度に変形させる所定の変位量で変位させ、この変位量に応じてピックアップベース２０を変形させることで、この取付片２６と第１のストッパ部７１との衝突による衝撃を吸収してピックアップベース２０に取り付けられた光学部品を保護することができるとともに、上述したように、ピックアップベース２０の変形量をピックアップベース２０の形状、強度に応じた範囲内に抑えることにより樹脂製のピックアップベース２０の割れ等の損傷を防止することを実現する。
【００８７】
尚、上述の光ディスク装置１において、上述の変位規制部材７３を備えるように構成したが、本発明を適用した光ディスク装置を構成する変位規制部材は、これに限られるものではなく、例えば、図１５に示すような取り付け強度を向上させた変位規制部材８３を設けるようにしてもよい。尚、以下の説明において、上述した変位規制部材７３と共通する部分については、共通の符号を付すとともに詳細な説明は省略する。
【００８８】
この変位規制部材８３は、図１５及び図１６に示すように、環状の本体部７４と、突出部７５と、係合部７６と、延設部７７と、第１及び第２の連結部７８，７９とを有するとともに、環状の本体部７４の取付基準面となる一方の面７４ｃ側であって、タンジェンシャル方向Ｔｚにおいて係合部７６が設けられた側と反対側の部分から延設して設けられる第２の係合部８４とを有する。
【００８９】
この第２の係合部８４は、図１５（ａ）、図１５（ｂ）、図１５（ｃ）及び図１７に示すように、変位規制部材８３が第３の立ち上がり片４３に取り付けられた状態で、環状の本体部７４の基準面となる一方の面７４ｃと同一平面を形成する面８５ａを有して環状の本体部７４からタンジェンシャル方向Ｔｚに向けて延設された第２の延設部８５と、第２の延設部８５の先端から半径方向外側に向けて突出して形成される係合突起部８６とを有している。
【００９０】
第２の係合部８４は、変位規制部材８３が第３の立ち上がり片４３に取り付けられ、この第２の延設部８５の面８５ａと環状の本体部７４の一方の面７４ｃとを第３の立ち上がり片４３の内周側に向けた面に接した状態で、図１７に示すように、第３の立ち上がり片４３の立ち上がり部４３ｃの側面に係合突起部８６を係合させて、変位規制部材８３が光ディスク２と平行な平面内において突出部７５がタンジェンシャル方向Ｔｚの外側に変位する方向に回動することを防止する。
【００９１】
第２の係合部８４は、上述した本体部７４及び係合部７６とともに、３方向から第３の立ち上がり片４３に係合することで、この変位規制部材８３の第３の立ち上がり片４３へのより強固な取り付けを可能として、突出部７５が被ガイド部である取付片２８に当接した場合に、その衝撃により突出部７５の姿勢を保持することができ、突出部７５が下側に向けて又はタンジェンシャル方向Ｔｚに向けて傾斜してしまうことを防止する。
【００９２】
この変位規制部材８３は、上述した変位規制部材７３と同様に、取付溝部７３ａ及び取付孔部７３ｂを有し、これらに第３の立ち上がり片４３の切り欠き端部４３ｅ，４３ｆを挿入させることで、第３の立ち上がり片４３の所定の正確な位置への取り付けを可能とする。尚、この変位規制部材８３は、上述した第２の係合部８４を有することにより、強度を有して固定されているが、さらに強度を持たせるために接着剤等を用いて固定するようにしてもよい。
【００９３】
以上のような変位規制部材８３は、上述した変位規制部材７３と同様の効果を有しおり、すなわち、衝撃等によりピックアップベース２０が外側に突き当てられた際に、所定の変形量でピックアップベース２０を変形させることで、この衝撃を吸収してピックアップベース２０に取り付けられた光学部品を保護することができるとともに、取付片２８の変位量を所定の範囲に抑えてピックアップベース２０の変形量をピックアップベース２０の強度に応じた範囲内に抑えることにより、樹脂製のピックアップベース２０の割れ等の損傷を防止することを可能とする。さらに、この変位規制部材８３は、上述の変位規制部材７３に比べて第３の立ち上がり片４３への取り付けの信頼性、及び強度を高くすることができ、衝撃等の際の取付片２８の変位量を確実且つ正確に所定の範囲に抑えることを可能とする。
【００９４】
図１５〜図１７に示すような変位規制部材８３を有する光ディスク装置は、光ディスク装置１に衝撃等が加わり、一方の被ガイド部である取付片２６と第１のストッパ部７１とが衝突した際の他方の被ガイド部である取付片２８の変位を抑え、ピックアップベース２０の変形量を軽減するとともに、この他方の被ガイド部である取付片２８の変位による一方の被ガイド部である取付片２６を支点としたモーメントにより一方の被ガイド部である取付片２６に加わる応力を軽減することができ、樹脂製のピックアップベース２０の割れ、破損等の損傷を防止することを実現する。また、変位規制部材８３を有する光ディスク装置は、この衝撃等が加わった際の、他方の被ガイド部である取付片２８をピックアップベース２０が損傷しない程度に変形させる所定の変位量で変位させ、この変位量に応じてピックアップベース２０を変形させることで、この取付片２６と第１のストッパ部７１の衝突による衝撃を吸収してピックアップベース２０に取り付けられた光学部品を保護することができるとともに、上述したように、ピックアップベース２０の変形量をピックアップベース２０の形状、強度に応じた範囲内に抑えることにより樹脂製のピックアップベース２０の割れ等の損傷を防止することを実現する。
【００９５】
また、上述では、ユニットベース３の取付片２８の外側に対向する位置に設けられた第３の立ち上がり片４３の取付片２８に対向する位置に、取付片２８に向けて突出するように取り付けられる変位規制部材７３，８３を備えるようにしたが、これに限られるものではなく、本発明を適用した光ディスク装置を構成する変位規制部は、他方側の被ガイド部と、上述した第３の立ち上がり片４３のようにユニットベース３のこの取付片２８の半径方向外側に対向する立ち上がり部分との何れか一方の、何れか他方に対向する位置に、何れか他方側に向けて突出して設けられていればよい。
【００９６】
すなわち、例えば、図１８に示すように、上述のように構成された光ディスク装置１において、上述した変位規制部材７３に換えて、他方側の被ガイド部である取付片２８の、ユニットベース３のこの取付片２８の半径方向外側に対向する部分である第３の立ち上がり片４３に対向する位置に、第３の立ち上がり片４３に向けて突出するように取り付けられ又は一体に形成される変位規制部材９３を備えるように構成してもよい。尚、この変位規制部材９３を設ける場合においても、上述の変位規制部材７３を設ける場合と同様に、一方側の被ガイド部である取付片２６が第１のストッパ部７１に当接する位置に光ピックアップ５が位置する際に、ピックアップベース２０が撓んでいない状態では、変位規制部材９３の第３の立ち上がり片４３に向けた突出部が、第３の立ち上がり片４３の半径方向内周側に設けられた当接面に当接しないように、これらが上述の所定の隙間Ｘ１を有するように構成されている。
【００９７】
図１８に示すような変位規制部材９３を有する光ディスク装置は、光ディスク装置１に衝撃等が加わり、一方の被ガイド部である取付片２６と第１のストッパ部７１とが衝突した際の他方の被ガイド部である取付片２８の変位を抑え、ピックアップベース２０の変形量を軽減するとともに、この他方の被ガイド部である取付片２８の変位による一方の被ガイド部である取付片２６を支点としたモーメントにより一方の被ガイド部である取付片２６に加わる応力を軽減することができ、樹脂製のピックアップベース２０の割れ、破損等の損傷を防止することを実現する。また、変位規制部材９３を有する光ディスク装置は、この衝撃等が加わった際の、他方の被ガイド部である取付片２８をピックアップベース２０が損傷しない程度に変形させる所定の変位量で変位させ、この変位量に応じてピックアップベース２０を変形させることで、この取付片２６と第１のストッパ部７１の衝突による衝撃を吸収してピックアップベース２０に取り付けられた光学部品を保護することができるとともに、上述したように、ピックアップベース２０の変形量をピックアップベース２０の形状、強度に応じた範囲内に抑えることにより樹脂製のピックアップベース２０の割れ等の損傷を防止することを実現する。
【００９８】
尚、上述の光ディスク装置１では、衝撃により、光ピックアップ５が半径方向外側に移動された際のピックアップベース２０の変形による割れ等の損傷を副軸側且つ外周側に設けた変位規制部材７３により防止し、衝撃により、光ピックアップ５が半径方向内側に移動された際のピックアップベース２０の変形による割れ等の損傷をピックアップベース２０の端面２０ａ及びユニットベース３の部分３ｂにより防止する構成としたが、衝撃により、光ピックアップ５が半径方向内側に移動された際のピックアップベース２０の変形による割れ等の損傷を防止するために、副軸側且つ内周側に、変位規制部材を設けるように構成してもよい。
【００９９】
次に、図１９に示すように副軸側且つ内周側に変位規制部材１０３を設けるようにした光ディスク装置１０１について説明する。尚、以下の説明において、上述した光ディスク装置１と共通する部分については、共通の符号を付すとともに詳細な説明は省略する。
【０１００】
この光ディスク装置１０１は、図１９に示すように、光ディスク２に対して情報信号の記録及び／又は再生を行う記録再生装置である。
【０１０１】
光ディスク装置１０１は、図１９に示すように、ユニットベース３を有し、このユニットベース３に、光ディスク２を装着して回転駆動する駆動手段としてのディスク回転駆動機構４と、このディスク回転駆動機構４に装着された光ディスク２に対して光ビームを照射して、光ディスク２で反射された戻りの光ビームを検出する光ピックアップ５と、光ピックアップ５を光ディスク２の半径方向に移動させるピックアップ送り機構６とが設けられている。そして、光ディスク装置１０１を構成するユニットベース３、ディスク回転駆動機構４、光ピックアップ５及びピックアップ送り機構６は、上述した光ディスク装置１と同様の構成を有している。
【０１０２】
光ディスク装置１０１には、上述した光ディスク装置１と同様に、外部からの衝撃等により、光ピックアップ５が半径方向外側に移動され一方側の被ガイド部としての取付片２６が第１のストッパ部７１に当接し、ピックアップベース２０が撓んで他方側の被ガイド部としての取付片２８が半径方向の外側に向けて変位された際に、この取付片２８の変位量を規制する変位規制部材７３が第３の立ち上がり片４３に取り付けられている。尚、この変位規制部材７３については、上述した光ディスク装置１に設けられた場合と同様の構成、効果を有するので詳細な説明は省略する。
【０１０３】
そして、光ディスク装置１０１には、外部からの衝撃等により、光ピックアップ５が半径方向内側に移動され一方側の被ガイド部としての取付片２７が第２のストッパ部７２に当接し、ピックアップベース２０が撓んで他方側の被ガイド部としての取付片２８が半径方向の内側に向けて変位された際に、この取付片２８の変位量を規制する変位規制部材１０３が第４の立ち上がり片４４に取り付けられている。
【０１０４】
すなわち、副ガイド軸３２を支持する第４の立ち上がり片４４は、図１９に示すように、他方側の被ガイド部である取付片２８の半径方向の内側に対向する位置に立ち上がり形成されており、この第４の立ち上がり片４４の他方側の被ガイド部としての取付片２８に対向する位置に、この取付片２８に向けて突出するように変位規制部材１０３が取り付けられている。
【０１０５】
この変位規制部材１０３は、図１９、図２０、図２１及び図２２に示すように、副ガイド軸３２を挿通するように副ガイド軸３２に取り付けるための軸挿通部１０４ａを有する本体部１０４と、この本体部１０４の軸挿通部１０４ａに挿通された副ガイド軸３２に沿って半径方向外周側に向けて突出するように本体部１０４に一体に形成され被ガイド部である取付片２８の当接面２８ｄに当接する当接部となる突出部１０５と、本体部１０４の突出部１０５が設けられた側の面１０４ｂと反対側の面１０４ｃに沿ってタンジェンシャル方向Ｔｚの両側に延設されるとともに延設された部分からさらに半径方向の内周側に向けて延設された第１及び第２の連結部１０８，１０９を介して一体に形成され、第４の立ち上がり片４４の本体部１０４の面１０４ｃが対向する側の面と反対側の面から係合する一対の第１及び第２の係合部１０６，１０７とを有している。
【０１０６】
本体部１０４は、図２０（ａ）、図２０（ｂ）、図２１（ａ）、図２１（ｄ）及び図２２に示すように、副ガイド軸３２の断面において半周以上の部分に係合するように形成され副ガイド軸３２を挿通するように副ガイド軸３２に係合させるための軸挿通部１０４ａと、その一方の面１０４ｃから第４の立ち上がり片４４に向けて突出して形成され、変位規制部材１０３が第４の立ち上がり片４４に取り付けられる際に第４の立ち上がり片４４に当接して押圧するとともに変形される突起部１０４ｄと、本体部１０４の下部側に設けられた軸挿通部１０４ａと反対側である上部側の面に設けられ副ガイド軸３２に軸挿通部１０４ａを係合させるように取り付ける際に本体部１０４を変形させるための複数の凹部１０４ｅ，１０４ｆとを有している。この本体部１０４は、その凹部１０４ｅ，１０４ｆのタンジェンシャル方向Ｔｚの壁部を近接する方向に変形させ、すなわち、軸挿通部１０４ａの各端部を広げるように変形された状態で副ガイド軸３２に取り付けられる。また、本体部１０４は、第１及び第２の係合部１０６，１０７を第４の立ち上がり片４４の内周側の面に係合させた状態でその突起部１０４ｄを第４の立ち上がり片４４の外周側の面に当接して押圧した状態とされる。このように、本体部１０４は、その一方の面１０４ｃを、第４の立ち上がり片４４の外周側に向けた面に対向させるとともに、突起部１０４ｄを第４の立ち上がり片４４の外周側の面に当接して取り付けられる。
【０１０７】
突出部１０５は、図２０（ｂ）、図２１（ａ）、図２１（ｂ）、図２１（ｃ）及び図２２に示すように、この本体部１０４の他方の面１０４ｂからこの本体部１０４が係合された副ガイド軸３２と略平行に突出して形成されており、第４の立ち上がり片４４に取り付けられた状態で副ガイド３２と略平行に突出して形成されており、第４の立ち上がり片４４に取り付けられた状態で副ガイド軸３２の上部側の位置に配置されるように形成されている。この突出部１０５は、その先端部１０５ａに、被ガイド部である取付片２８の当接面２８ｄに当接する当接突起部１０５ｃが設けられている。尚、この取付片２８の当接面２８ｄは、上述した半径方向外周側に設けられた当接面２８ｃの反対側の位置に設けられている。また、突出部１０５は、その上部側の面１０５ｂに、複数の貫通孔１０５ｄ，１０５ｅが設けられており、この貫通孔１０５ｄ，１０５ｅを有することにより、衝突による衝撃を吸収可能な形状とされており、すなわち、その先端部１０５ａの当接突起部１０５ｃに、取付片２８の当接面２８ｄが衝突した場合の衝撃を吸収することができる。
【０１０８】
第１及び第２の係合部１０６，１０７は、図１９、図２０（ａ）、図２０（ｂ）、図２１（ａ）及び図２２に示すように、本体部１０４の一方の面１０４ｃから延設された第１及び第２の連結部１０８，１０９を介して形成され、本体部１０４の突起部１０４ｄとともに、第４の立ち上がり片４４を副ガイド軸３２の軸方向の両側から挟み込みように、第４の立ち上がり片４４に係合することで、本体部１０４の軸挿通部１０４ａとともに、この変位規制部材１０３を第４の立ち上がり片４４へ取り付ける際の位置決めとして機能する。
【０１０９】
また、この第１及び第２の係合部１０６，１０７は、副ガイド軸３２の軸方向に直交する平面において、軸挿通部１０４ａよりも上側に取り付けられた突起部１０４ｄに対して、下側の位置で第４の立ち上がり片４４に係合するように形成されており、突出部１０５が被ガイド部である取付片２８に当接した場合に、その衝撃により突出部１０５の姿勢を保持することができ、特に、突出部１０５が下側に向けて傾斜してしまうことを防止する。その一方で、上述した軸挿通部１０４ａは、図２３に示すように、副ガイド軸３２の上側部分を包囲するとともに下側部分に係合することとなり、突出部１０５が被ガイド部である取付片２８に当接した場合に、その衝撃により、突出部１０５が上側に向けて傾斜してしまうことを防止する。
【０１１０】
第１及び第２の連結部１０８，１０９は、図１９、図２０（ａ）、図２０（ｂ）、図２１（ａ）及び図２２に示すように、それぞれ本体部１０４の一方の面１０４ｃに沿ってタンジェンシャル方向Ｔｚの両側に延設された延設部１０８ａ，１０９ａと、この延設部１０８ａ，１０９ａからさらに半径方向内周側に向けて延設された延設部１０８ｂ，１０９ｂとを有し、この延設部１０８ｂ、１０９ｂにより第４の立ち上がり片４４の立ち上がり部４４ｃ，４４ｄをタンジェンシャル方向Ｔｚの両側から狭持するとともに、変位規制部材１０３の第１及び第２の係合部１０６，１０７を第４の立ち上がり片４４の半径方向内周側から係合させ、変位規制部材１０３の本体部１０４に設けられた突起部１０４ｄを第４の立ち上がり片４４の半径方向外周側から当接させて押圧することを可能とする。
【０１１１】
また、第１及び第２の連結部１０８，１０９は、第１及び第２の係合部１０６，１０７に連結する延設部１０８ｂ，１０９ｂの内面に凹部１０８ｃ，１０９ｃを有しており、これにより、第１及び第２の係合部１０６，１０７を互いに外側に広げる方向に変位可能とされ、変位させることにより第１及び第２の係合部１０６，１０７を第４の立ち上がり片４４に係合させるように、変位規制部材１０３を取り付けることを可能とする。また、上述した第２の係合部１０７は、第１の係合部１０６に比べて、タンジェンシャル方向Ｔｚにおいてもフォーカス方向においても小さい寸法で形成されており、これにより、変位規制部材１０３の第４の立ち上がり片４４への取り付けを容易とする。
【０１１２】
この本体部１０４並びに第１及び第２の係合部１０６，１０７を連結する第１及び第２の連結部１０８，１０９は、図１９及び図２３に示すように、第１及び第２の係合部１０６，１０７及び本体部１０４の突起部１０４ｄを、第４の立ち上がり片４４の半径方向内周側及び外周側から係合及び当接させるとともに、第４の立ち上がり片４４の立ち上がり部４４ｃ，４４ｄをタンジェンシャル方向Ｔｚの両側から狭持することにより、変位規制部材１０３を第４の立ち上がり片４４へ取り付ける際の位置決めとしての機能を有し、すなわち、本体部１０４及び突出部１０５の軸回り方向の回転を防止して、突出部１０５を確実に他方側の被ガイド部である取付片２８の当接面２８ｄに当接可能な位置に保持することを可能とするとともに、変位規制部材１０３が光ディスク２と平行な平面内において突出部１０５がタンジェンシャル方向Ｔｚの外側及び内側に変位する方向に回動することを防止する。
【０１１３】
また、本体部１０４、第１及び第２の係合部１０６，１０７、並びに第１及び第２の連結部１０８，１０９を有する変位規制部材１０３は、軸挿通部１０４ａにより高さ方向の位置を位置決めされ、高さ方向に異なる高さで、第４の立ち上がり片４４の内周側及び外周側から係合及び当接する第１及び第２の係合部１０６，１０７並びに突起部１０４ｄにより突出部１０５の上下方向への傾斜を防止する構成としていることから、この変位規制部材１０３を取り付けた状態においても第４の高さ調整部である調整ネジ６４による副ガイド軸３２の高さ方向の調整を可能とする。
【０１１４】
以上のような変位規制部材１０３は、副ガイド軸３２に軸挿通部１０４ａを係合させ、第４の立ち上がり片４４に第１及び第２の係合部１０６，１０７並びに突起部１０４ｄを係合、当接させ、第４の立ち上がり片４４の立ち上がり部４４ｃ，４４ｄを第１及び第２の連結部１０８，１０９で狭持する構成により、第４の立ち上がり片４４の所定の正確な位置への取り付けを可能とする。ここで、変位規制部材１０３は、例えば、副ガイド軸３２及び第４の立ち上がり片４４の上部側から圧入及びはめ込みを行うことにより取り付けることができる。尚、この変位規制部材１０３は、上述の構成により、強度を有して固定されているが、さらに強度を持たせるために接着剤等を用いて固定するようにしてもよい。
【０１１５】
そして、この変位規制部材１０３は、上述した変位規制部材７３と同様に、例えば、ＰＯＭ等のピックアップベース２０を構成する樹脂部材よりも強度が低く、すなわち軟らかい樹脂部材により形成されている。変位規制部材１０３は、例えばＰＰＳ等の樹脂材料よりなるピックアップベース２０よりも強度が低い樹脂材料により形成されることにより、衝撃等により、この変位規制部材１０３とピックアップベース２０の取付片２８とが衝突した際に、この変位規制部材１０３自体が変形することによりこの衝突による衝撃を吸収し、ピックアップベース２０及びこの内部に配設される光学部品等に衝撃が加わることを防止する。
【０１１６】
また、変位規制部材１０３は、図５（ｂ）を用いて変位規制部材７３について説明したのと同様に、一方側の被ガイド部である取付片２７が第２のストッパ部７２に当接する位置に光ピックアップ５が位置する際に、すなわち、ピックアップベース２０が撓んでいない状態では、当接部となる突出部１０５の当接突起部１０５ｃが他方側の被ガイド部である取付片２８の当接面２８ｄに当接しない、すなわち接触しない状態となるように、他方側の被ガイド部である取付片２８に対して所定の隙間を有するように形成されている。
【０１１７】
以上のように構成された変位規制部材１０３は、光ディスク装置１０１が落下した場合等の衝撃により、光ピックアップ５が半径方向外側に移動され一方側の被ガイド部である取付片２７が第２のストッパ部７２に当接して、ピックアップベース２０が撓んで他方側の被ガイド部である取付片２８が内側に変位し、所定の隙間分だけ変位された際に、その突出部１０５の当接突起部１０５ｃを他方側の被ガイド部である取付片２８の当接面２８ｄに当接させて、それ以上他方側の被ガイド部である取付片２８が変位することを防止して、すなわちピックアップベース２０がそれ以上撓むことを防止する。
【０１１８】
このように、変位規制部材１０３は、他方側の被ガイド部である取付片２８の変位量を一定量の範囲に抑えるように規制し、すなわち、ピックアップベース２０の撓みを一定の範囲に抑えることを可能とする。これにより、変位規制部材１０３は、樹脂製のピックアップベース２０の割れ、損傷等が発生する位置に至るまでの変位量より少ない所定の変位量しか変位しないように設定して形成されることにより、取付片２８の最大変位量を規制するとともにピックアップベース２０の撓み量を規制し、このピックアップベース２０の撓みに伴う割れ、損傷等を防止できる。
【０１１９】
尚、この変位規制部材１０３が、衝撃等により一方側の被ガイド部である取付片２７が第２のストッパ部７２に当接したときに、他方側の被ガイド部である取付片２８の変位量ゼロ、すなわち、他方側の被ガイド部の取付片２８が、同時にこの変位規制部材１０３に当接して半径方向への移動を規制するような構成としなかったことについては、上述した変位規制部材７３の場合と同様であるのでここでは詳細な説明は省略する。すなわち、変位規制部材１０３は、ピックアップベース２０が割れ、損傷を発生させない程度に、他方側の被ガイド部である取付片２８を変位させ、ピックアップベース２０を撓ませ、このピックアップベース２０の撓みにより、力を逃がし、衝撃力の一部を緩和させることができる。
【０１２０】
以上のように、変位規制部材１０３は、光ピックアップ５が半径方向の最も内側の位置に移動され一方側の被ガイド部である取付片２７が第２のストッパ部７２に当接したときに、ピックアップベース２０に撓みがない状態で、他方側の被ガイド部である取付片２８の当接面２８ｄに対して変位規制部材１０３の突出部１０５の当接突起部１０５ｃが所定の隙間を有するように構成されていることから、衝撃等によりピックアップベース２０が内側に突き当てられた際に、一方の被ガイド部である取付片２７が第２のストッパ部７２で突き当てられて、他方の被ガイド部である取付片２８が一定の変位量となる程度の所定の変形量でピックアップベース２０を変形させることで、この衝撃を吸収してピックアップベース２０に取り付けられた光学部品を保護することができるとともに、他方の被ガイド部である取付片２８の変位量を所定の範囲に抑え、すなわち、ピックアップベース２０の変形量をピックアップベース２０の強度に応じた範囲内に抑えることにより、樹脂製のピックアップベース２０の割れ等の損傷を防止することを可能とする。
【０１２１】
以上のように構成された光ディスク装置１０１は、ディスクテーブル１２に光ディスク２が装着されるとスピンドルモータ１１によって光ディスク２を回転操作し、駆動モータ３３を駆動制御して、光ピックアップ５を光ディスク２の所望の記録トラックに対応する位置に移動させる。そして光ディスク装置１０１は、光ピックアップ５が所定の波長の光ビームを照射するとともに光ディスク２で反射された戻りの光ビームを検出することで、光ディスク２に対して情報の記録再生を行う。
【０１２２】
ところで上述したような樹脂製のピックアップベース２０を有する光ディスク装置１０１等において、搬送時の落下等の要因により大きな衝撃が加わった際に、光ピックアップ５が内周から外周に移動した際、又は外周から内周に移動した際のピックアップベース２０の割れ、破損等の損傷が問題となるが、上述した光ディスク装置１０１は、上述したような外周側に設けられ被ガイド部である取付片２８の外周側への変位を規制する第１の変位規制部材としての変位規制部材７３と、内周側に設けられ被ガイド部である取付片２８の内周側への変位を規制する第２の変位規制部材としての変位規制部材１０３とを備えることにより、この衝撃時等による他方の被ガイド部である取付片２８の変位を抑え、ピックアップベース２０の変形量を抑えるとともに、この取付片２８の変位による一方の被ガイド部である取付片２６，２７に加わる応力を軽減することができ、上述のような損傷等の問題を解消できる。
【０１２３】
このように、本発明を適用した光ディスク装置１０１は、樹脂材料により形成されるピックアップベース２０を有する光ピックアップ５と、一対のガイド軸として主ガイド軸３１及び副ガイド軸３２と、ユニットベース３と、ユニットベース３に設けられ、光ピックアップ５が半径方向の最も外側の位置に移動された際に、一方側の被ガイド部である取付片２６に当接する第１のストッパ部７１と、ユニットベース３の他方側の被ガイド部である取付片２８の外側に対向する位置に設けられた第３の立ち上がり片４３の取付片２８に対向する位置に、取付片２８に向けて突出するように取り付けられる変位規制部材７３と、ユニットベース３に設けられ、光ピックアップ４が半径方向の最も内側の位置に移動された際に、一方側の被ガイド部である取付片２７に当接する第２のストッパ部７２と、ユニットベース３の他方側の被ガイド部である取付片２８の内側に対向する位置に設けられた第４の立ち上がり片４４の取付片２８に対向する位置に、取付片２８に向けて突出するように取り付けられる変位規制部材１０３とを備え、この変位規制部材７３の突出部７５が、光ピックアップ５が外側に移動され一方側の被ガイド部である取付片２６が第１のストッパ部７１に当接してピックアップベース２０が撓んで他方側の被ガイド部である取付片２８が半径方向外側に変位された際に、取付片２８に当接することによりピックアップベース２０が撓んだときの他方側の被ガイド部である取付片２８の変位量を規制する構成と、この変位規制部材１０３の突出部１０５が、光ピックアップ５が内側に移動され一方側の被ガイド部である取付片２７が第２のストッパ産７２に当接してピックアップベース２０が撓んで他方側の被ガイド部である取付片２８が半径方向内側に変位された際に、取付片２８に当接することによりピックアップベース２０が撓んだときの他方側の被ガイド部である取付片２８の変位量を規制する構成とにより、光ディスク装置１０１に衝撃等が加わり、一方の被ガイド部である取付片２６と第１のストッパ部７１とが衝突した際の他方の被ガイド部である取付片２８の変位を抑え、ピックアップベース２０の変形量を軽減するとともに、この他方の被ガイド部である取付片２８の変位による一方の被ガイド部である取付片２６を支点としたモーメントにより一方の被ガイド部である取付片２６に加わる応力を軽減することができ、樹脂製のピックアップベース２０の割れ、破損等の損傷を防止し、また、光ディスク装置１０１に衝撃等が加わり、一方の被ガイド部である取付片２７と第２のストッパ部７２とが衝突した際の他方の被ガイド部である取付片２８の変位を抑え、ピックアップベース２０の変形量を軽減するとともに、この他方の被ガイド部である取付片２８の変位による一方の被ガイド部である取付片２７を支点としたモーメントにより一方の被ガイド部である取付片２７に加わる応力を軽減することができ、樹脂製のピックアップベース２０の割れ、破損等の損傷を防止することを実現する。よって、本発明は、樹脂製のピックアップベース２０を用いることにより、これを有する光ピックアップ５の製造の容易化、製造工程の簡素化及び低コスト化を可能とするとともに、樹脂製のピックアップベースを用いる場合の問題点となり得るこのピックアップベース２０の割れ、破損等の損傷を簡易な構成で防止することを実現する。
【０１２４】
さらに、この光ディスク装置１０１は、上述したように、挿入孔２６ａ，２７ａにガイド軸を挿入させ２箇所設けられた取付片２６，２７からなる主ガイド軸３１側の被ガイド部に対応するストッパ部を設けるとともに、副ガイド軸３２側の取付片２８が上述したように所謂断面コの字状とされ、副ガイド軸３２に対して高さ方向の一方向から支持されているような構成の場合には、ピックアップベース２０が撓みやすいので特に有効であり、すなわち、変位規制部材７３，１０３により樹脂製で撓みやすい構成とされたピックアップベース２０の割れ等の損傷を防止することを実現する。
【０１２５】
また、本発明を適用した光ディスク装置１０１は、上述のように、変位規制部材７３、１０３のそれぞれが、一方側の被ガイド部である取付片２６，２７が第１又は第２のストッパ部７１、７２に当接する位置に光ピックアップ５が位置する際に、ピックアップベース２０が撓んでいない状態では、当接部となる突出部７５，１０５の当接突起部７５ｃ，１０５ｃが他方側の被ガイド部である取付片２８の当接面２８ｃ，２８ｄに当接しないように、これらが所定の隙間Ｘ１等を有するように形成され、この隙間Ｘ１等が、他方側の被ガイド部である取付片２８の変位によりピックアップベース２０が変形して割れ、損傷等が発生する取付片２８の変位量Ｘ２等より小さくなるようにされていることにより、衝撃等により、一方の被ガイド部である取付片２６，２７と第１又は第２のストッパ部７１，７２とが衝突した際の他方の被ガイド部である取付片２８をピックアップベース２０が損傷しない程度に変形させる所定の変位量で変位させ、この変位量に応じてピックアップベース２０を変形させることで、この取付片２６，２７と第１又は第２のストッパ部７１，７２との衝突による衝撃を吸収してピックアップベース２０に取り付けられた光学部品を保護することができるとともに、上述したように、ピックアップベース２０の変形量をピックアップベース２０の形状、強度に応じた範囲内に抑えることにより樹脂製のピックアップベース２０の割れ等の損傷を防止することを実現する。
【０１２６】
また、上述した光ディスク装置１における、ピックアップベース２０と、ユニットベース３と、主ガイド軸３１及び副ガイド軸３２をからなるガイド機構を有するピックアップ送り機構６と、第１のストッパ部７１と、変位規制部材７３とは、少なくとも光ディスク２に対して情報信号の記録及び／又は再生を行うための光ビームを照射する光学部品を有する光ピックアップ５を光ディスク２の半径方向に移動させる本発明を適用した送り装置を構成する。尚、この送り装置においても、変位規制部材７３に換えて、上述した変位規制部材８３，９３等を有するように構成してもよい。さらに、この送り装置においても、上述した光ディスク装置１０１と同様に、衝撃等により光ピックアップ５が半径方向内側に移動された際の他方の被ガイド部としての取付片２８の変位量を規制する変位規制部材１０３を設けるように構成してもよい。
【０１２７】
本発明を適用した送り装置は、光学部品とともに光ピックアップ５を構成し樹脂材料により形成され光学部品が配置される第１のベース部材としてピックアップベース２０と、この第１のベース部材としてのピックアップベース２０の半径方向に略直交する方向の一方側及び他方側に設けられた被ガイド部としての取付片２６，２７，２８を、ピックアップベース２０が半径方向に移動可能とされるように、支持する一対のガイド軸として主ガイド軸３１及び副ガイド軸３２と、この一対のガイド軸が取り付けられる第２のベース部材としてユニットベース３と、この第２のベース部材に設けられ、第１のベース部材としてのピックアップベース２０が半径方向の最も外側の位置に移動された際に、一方側の被ガイド部として取付片２６に当接するストッパ部として第１のストッパ部７１と、第２のベース部材の他方側の被ガイド部である取付片２８の外側に対向する位置に設けられる立ち上がり部として第３の立ち上がり片４３と、他方側の被ガイド部である取付片２８と第３の立ち上がり片４３との何れか一方に設けられる変位規制部として変位規制部材７３とを備え、この変位規制部材７３が、上述したように衝撃等が加わった際の他方側の被ガイド部の変位量を規制することにより、一方の被ガイド部とストッパ部とが衝突した際のピックアップベース２０の変形量を軽減し、他方の被ガイド部の変位により一方のガイド軸に取り付けられる一方の被ガイド部に加わるモーメントを軽減することができ、樹脂製のピックアップベースの割れ、破損等の損傷を防止することを実現する。
【図面の簡単な説明】
【０１２８】
【図１】本発明を適用した光ディスク装置の平面図である。
【図２】本発明を適用した光ディスク装置を構成する光ピックアップのピックアップベースと、このピックアップベースを移動可能に支持するガイド機構との概略構成を示す斜視図である。
【図３】本発明を適用した光ディスク装置を構成する光ピックアップを示す斜視図である。
【図４】本発明を適用した光ディスク装置を構成する主ガイド軸及び副ガイド軸がユニットベースに取り付けられる部分の構成及びスキュー調整機構の構成について説明するための図であり、（ａ）は、主ガイド軸の外周側の部分を示す側面図であり、（ｂ）は、主ガイド軸の内周側の部分を示す側面図であり、（ｃ）は、副ガイド軸の外周側の部分を示す側面図であり、（ｄ）は、副ガイド軸の内周側の部分を示す側面図である。
【図５】光ピックアップのピックアップベースに設けられ主ガイド軸及び副ガイド軸に支持される被ガイド部と、光ピックアップの移動範囲を規制する各ストッパ部を構成する各立ち上がり片と、変位規制部材との関係を説明するための図であり、（ａ）は、記録再生時における被ガイド部と各立ち上がり片との関係を示す模式的な平面図であり、（ｂ）は、ピックアップベースが最も外側に移動されたときの被ガイド部と各立ち上がり片と変位規制部材との関係を示す模式的な平面図であり、（ｃ）は、衝撃等により、ピックアップベースが撓み他方の被ガイド部が変位されたときの被ガイド部と変位規制部材との関係を示す模式的な平面図であり、（ｄ）は、本発明と比較するための比較例として変位規制部材を設けない光ディスク装置において、衝撃等によりピックアップベースが撓み他方の被ガイド部が変位されたときの模式的な平面図である。
【図６】本発明を適用した光ディスク装置を構成する変位規制部材及びこれを取り付けるためのユニットベースの立ち上がり部の構成を説明するための図であり、変位規制部材及びこれを取り付けるためのユニットベースの分解斜視図である。
【図７】本発明を適用した光ディスク装置を構成する変位規制部材の構成を説明するための図であり、光ディスク装置の変位規制部材を取り付けた部分の要部斜視図である。
【図８】変位規制部材の構成について示す図であり、（ａ）は、図７に示した方向と同方向からの斜視図を示し、（ｂ）は、（ａ）とは異なる方向からの斜視図を示す。
【図９】本発明を適用した光ディスク装置を構成する変位規制部材の構成について説明するための図であり、（ａ）は、変位規制部材の平面図であり、（ｂ）は、変位規制部材の正面図であり、（ｃ）は、変位規制部材の側面図であり、（ｄ）は、変位規制部材の背面側を示す図である。
【図１０】変位規制部材の構成について詳細に説明するための図であり、（ａ）は、図９に示すＡ−Ａ断面を示す断面図であり、（ｂ）は、図９に示すＢ−Ｂ断面を示す断面図であり、（ｃ）は、図９に示すＣ−Ｃ断面を示す断面図である。
【図１１】本発明を適用した光ディスク装置の変位規制部材及びこれに当接される被ガイド部の部分の構成を示す拡大平面図である。
【図１２】本発明を適用した光ディスク装置の変位規制部材及びこれに当接される被ガイド部の部分の構成を示す図１１に示すＤ−Ｄ断面を示す拡大断面図である。
【図１３】本発明を適用した光ディスク装置の変位規制部材及びこれに挿通された副ガイド軸の部分の構成を示す図１１に示すＥ−Ｅ断面を示す拡大断面図である。
【図１４】本発明を適用した光ディスク装置の変位規制部材及びこれを取り付ける立ち上がり片の部分の構成を示す図１１に示すＦ−Ｆ断面を示す拡大断面図である。
【図１５】本発明を適用した光ディスク装置を構成する変位規制部材の他の例の構成について説明するための図であり、（ａ）は、他の例の変位規制部材の平面図であり、（ｂ）は、この変位規制部材の正面図であり、（ｃ）は、この変位規制部材の側面図である。
【図１６】図１５に示す変位規制部材及びこれを取り付けるためのユニットベースの立ち上がり部の構成を説明するための図であり、変位規制部材及びこれを取り付けるためのユニットベースの分解斜視図である。
【図１７】図１５に示す変位規制部材の構成を説明するための図であり、光ディスク装置の変位規制部材を取り付けた部分の要部斜視図である。
【図１８】本発明を適用した光ディスク装置の他の例として、変位規制部材が他方側の被ガイド部側に設けられた例について説明するための図であり、光ピックアップのピックアップベースに設けられ主ガイド軸及び副ガイド軸に支持される被ガイド部と、光ピックアップの移動範囲を規制する各ストッパ部を構成する各立ち上がり片と、変位規制部材との関係を示す模式的な平面図である。
【図１９】本発明を適用した光ディスク装置のさらに他の例として、副軸側且つ内周側に変位規制部材を設けた例の光ディスク装置の平面図である。
【図２０】図１９に示す光ディスク装置を構成する内周側に設けられる変位規制部材の構成について示す図であり、（ａ）は、取付部である第４の立ち上がり片に取り付けられる側からの斜視図を示し、（ｂ）は、（ａ）とは異なる方向からの斜視図を示す。
【図２１】図２０に示す変位規制部材の構成について説明するための図であり、（ａ）は、変位規制部材の平面図であり、（ｂ）は、変位規制部材の正面図であり、（ｃ）は、変位規制部材の側面図であり、（ｄ）は、変位規制部材の背面側を示す図である。
【図２２】図２０に示す変位規制部材の底面図である。
【図２３】図２０に示す変位規制部材の取り付けられた状態を説明するために変位規制部材の本体部付近の断面であって半径方向外周側から内周側に向けた断面を示す図であり、変位規制部材及びこれに挿通された副ガイド軸の部分の構成を示す拡大断面図である。
【符号の説明】
【０１２９】
１  光ディスク装置、  ２  光ディスク、  ３  ユニットベース、  ４  ディスク回転駆動機構、  ５  光ピックアップ、  ６  ピックアップ送り機構、  １１  スピンドルモータ、  １２  ディスクテーブル、  ２０  ピックアップベース、  ２１，２２  光源、  ２３，２４  対物レンズ、  ２６，２７，２８  取付片、  ３１  主ガイド軸、  ３２  副ガイド軸、  ３３  駆動モータ、  ３４  リードスクリュー、  ３５  連結部材、  ４１〜４８  第１乃至第８の立ち上がり片、  ５１〜５４  第１乃至第４の押圧片、  ６１〜６４  調整ネジ、  ７１  第１のストッパ部、  ７２  第２のストッパ部、  ７３  変位規制部材、  ７５  突出部
【図１】
2009064491.tif 000003
【図２】
2009064491.tif 000004
【図３】
2009064491.tif 000005
【図４】
2009064491.tif 000006
【図５】
2009064491.tif 000007
【図６】
2009064491.tif 000008
【図７】
2009064491.tif 000009
【図８】
2009064491.tif 000010
【図９】
2009064491.tif 000011
【図１０】
2009064491.tif 000012
【図１１】
2009064491.tif 000013
【図１２】
2009064491.tif 000014
【図１３】
2009064491.tif 000015
【図１４】
2009064491.tif 000016
【図１５】
2009064491.tif 000017
【図１６】
2009064491.tif 000018
【図１７】
2009064491.tif 000019
【図１８】
2009064491.tif 000020
【図１９】
2009064491.tif 000021
【図２０】
2009064491.tif 000022
【図２１】
2009064491.tif 000023
【図２２】
2009064491.tif 000024
【図２３】
2009064491.tif 000025